(57)【要約】
【課題】スライドファスナーの一部開放により形成される開口部からペットが首を外に出した状態で運搬できるバッグにおいて、ペットの首部の毛がファスナーの歯部に引っかからないようにすること。
【解決手段】袋状の本体部１０に把手部１６を有し、本体部の上部にスライドファスナー１２により開閉自在に形成された開口部１５を有する愛玩動物運搬用バッグである。ファスナー１２を一部開放した際に、ファスナーの開口始端部分の歯部を被覆する保護部材２０を設けた。保護部材は幅広の帯片から形成され、その一方端が本体部内面のファスナー開口始端の下方に取り付けられ、その他方端には止めホック等の係合部２１が設けられ、かかる係合部が本体部外面のファスナー開口始端の下方に設けられた止めホック等の係合受部と相互に着脱自在に係合しうる。
【選択図】  図１
0003100787.tif 000002
【実用新案登録請求の範囲】
【請求項１】
袋状の本体部（１０）に把手部（１６）又は肩掛け部を設け、本体部（１０）の上部にスライドファスナー（１２）により開閉自在に形成された開口部を有する愛玩動物運搬用バッグにおいて、
スライドファスナー（１２）を一部開放した際に、スライドファスナー（１２）の開口始端部分の歯部（１２ｔ）を被覆する保護部材（２０）を設けたことを特徴とする愛玩動物運搬用バッグ。
【請求項２】
請求項１において、保護部材（２０）の一端が袋状の本体部の内面に取り付けられ、他端が本体部の外面に設けられた係合部と着脱自在に係合しうることを特徴とする愛玩動物運搬用バッグ。
【請求項３】
請求項２において、保護部材（２０）が幅広の帯状のものから形成され、その一方端が本体部内面のスライドファスナー開口始端の下方に取り付けられ、その他方端には止めホック又は面ファスナー等の係合部（２１）が設けられ、かかる係合部（２１）が、本体部外面のスライドファスナー開口始端の下方に設けられた止めホック又は面ファスナー等の係合受部（２２）と相互に着脱自在に係合しうることを特徴とする愛玩動物運搬用バッグ。
【考案の詳細な説明】
【考案の詳細な説明】
【技術分野】
【０００１】  本考案は、犬や猫等の愛玩動物を運搬する際に使用する愛玩動物運搬用バッグ、いわゆるペット用キャリーバッグの改良に関するものである。
【背景技術】
【０００２】  従来の愛玩動物運搬用バッグとしては、その基本形状は通常の手提げかばんやショルダーバッグ等と同様のもので、これらにペット用に相応しいものとして、通気性を加味させたり、リード（引き紐）の連結環を付加したり、内部を透視できるようにしたものや、内部の清掃を容易とするために取り外しできる内袋を設けたもの、或いは、バッグ内への出し入れを容易とする広い開口部が設けられたものなどがある。
本考案は、袋状の本体部の上部にスライドファスナーが設けられ、このスライドファスナーの開閉により開口部が開閉する形式の愛玩動物運搬用バッグの改良に関するものである。
【考案が解決しようとする課題】
【０００３】  上記のようなスライドファスナーによって開口部が開閉されるタイプのバッグにおいては、かかるスライドファスナーを全開して犬や猫等のペットを本体部内部に入れ、ペットの頭部を本体部の開口部から外部に露出させた状態で、スライドファスナーを適当な位置にまで閉鎖した状態でペットを運搬することとなる。
この際、ペットの首部の下側及び両側においては、スライドファスナーが開いた状態となっており、スライドファスナーの歯部にペット毛が引っかかり、或いは絡まるという問題があった。
本考案は、かかる問題を解決することをその課題としている。
【課題を解決するための手段】
【０００４】  上記課題を解決するために、本考案の第１のものは、袋状の本体部に把手部又は肩掛け部を設け、本体部の上部にスライドファスナーにより開閉自在に形成された開口部を有する愛玩動物運搬用バッグにおいて、スライドファスナーを一部開放した際に、スライドファスナーの開口始端部分の歯部を被覆する保護部材を設けたことを特徴とする愛玩動物運搬用バッグである。
ここでスライドファスナーの開口始端部分とは、ファスナーのスライダーをファスナーの一方端に引き寄せて全閉状態とし、この状態からスライダーを開放して開口部を形成する際の始端部分を意味する。以下同様である。
本考案の第１のものにおいては、スライドファスナーを一部開放してペットの頭部を出すための開口部を形成した際に、スライドファスナーの開口始端部分の歯部を被覆する保護部材が設けられているために、ペットの首部の毛がファスナーの歯部に引っ掛かり或いは絡まったりすることを防止することが出来る。
【０００５】  本考案の第２のものは、上記第１の考案において、保護部材の一端が袋状の本体部の内面に取り付けられ、他端が本体部の外面に設けられた係合部と着脱自在に係合しうることを特徴とする愛玩動物運搬用バッグである。
本考案の第２のものにおいては、保護部材の一端が本体部の内部に取り付けられ、他端が本体部の外面に着脱自在に係合できるため、バッグの不使用時には、保護部材の他端の係合を解除して、かかる保護部材をバッグ内部に収納しておくことができ、ペットを運搬する際には、ファスナーを開放して保護部材の他端を本体部の外面に係合して使用することが出来る。
【０００６】  本考案の第３のものは、上記第２の考案において、保護部材が幅広の帯状のものから形成され、その一方端が本体部内面のスライドファスナー開口始端の下方に取り付けられ、その他方端には止めホック又は面ファスナー等の係合部が設けられ、かかる係合部が、本体部外面のスライドファスナー開口始端の下方に設けられた止めホック又は面ファスナー等の係合受部と相互に着脱自在に係合しうることを特徴とする愛玩動物運搬用バッグである。
この第３の考案においては、保護部材が幅広の帯状のものから構成されているため、上記第２の考案と同様に不使用時にはバッグ内部に収納でき、使用時には簡単にその他方端をバッグの外面に係合して、ペットの少なくとも首部の下方部分の毛がファスナーの歯部に引っ掛かったり、絡まったりすることがない。
【考案を実施するための最良の形態】
【０００７】  以下、添付の図面と共に実施の形態について説明する。
図１は、本考案の一実施形態を図示する全体斜視説明図であって、使用状態を図示するものである。
本体部１０は、袋状の略ボックス形状のものからなり、その素材は合成繊維からなる通気性の良好な目の細かいメッシュ地から構成されている。
開口部を開閉するためのスライドファスナー１２は、図中左側面部から上面部にかけて設けられ、図には現れていないが右側面部には設けられていない。この実施形態ではスライドファスナーの開口始端部とは、図１中左側面部のファスナーの最下端部分を指称している。【０００８】  ファスナーを開閉するスライダー１３ａ、１３ｂは２個設けられているが、一方のスライダー１３ｂは、保護部材２０の内側に隠れており、ファスナーの開口始端部に位置している。スライダー１３ａを上面部左側に位置させて開口部１５が形成されているが、この開口部１５から本体部１０内部に収納されたペットの頭部を外に出すことが出来る。
両把手部１６、１６は、本体部１０の手前正面側と向こう側の背面側にそれぞれ縫着されており、その長さは手提げバッグ又はショルダーバッグとして両用できる程度の長さを有している。【０００９】  ２０が本考案の特徴部分である保護部材を示しており、この実施形態においては、幅広の帯状の布片から形成されており、その一方端が本体部１０内面のスライドファスナー１２の開口始端の下方で鋲止めされ、その他方端が本体部１０外面のスライドファスナー１２の開口始端の下方２箇所で止めホック（係合部）２１、２１により着脱自在に係合される。
保護部材２０の他方端が本体部１０の外面に止めホック２１、２１によって係合されることにより、スライドファスナー１２の開口始端部分のファスナーの歯部１２ｔ、１２ｔが被覆されることとなるのである。【００１０】  この図１の状態において、本体部１０内に収納されたペットは、その頭部を開口部１５から外部に出すわけであるが、その際ペットの首部の毛は、保護部材２０の存在によりファスナー１２の歯部１２ｔに引っ掛かったり、絡まったりしないのである。
図２は、図１のＡ−Ａ断面図説明図であって、本体部の肉厚を省略し、スライドファスナー部を破線で表わしている。この図に表われている通り、保護部材２０は、本体部１０の内面のスライドファスナー１２の開口始端の下方２箇所の鋲止め部２３、２３で鋲止めされている。【００１１】  図３は、図１の状態から止めホック２１、２１の係合を解除した状態を図示する斜視図である。この状態において、スライダー１３ａを引き下げるか、又は、スライダー１３ｂを引き上げるかすることにより、保護部材２０は、本体部１０の内部に収納される。
従って、本考案のバッグを使用する場合には、閉鎖されたスライドファスナー１２のスライダー１３ａ、１３ｂのそれぞれをファスナーの両端部に位置させて全開状態とし、保護部材２０の他方端の止めホック２１、２１を本体部１０の外面に設けられた止めホック受部（係合受部）２２、２２に係合し、スライドファスナー１２の開口始端部分の歯部１２ｔ、１２ｔを被覆し、本体部１０の内部にペットを収納し、その後一方のスライダー１３ａを適当な位置にまで移動して閉鎖し、開口部１５を適当な大きさとして、その開口部からペットの頭部を露出させた状態でペットを運搬するのである。【００１２】  以上、本考案の一実施形態について説明したが、本考案においては以下の通り各種その形態を変更することが可能である。
保護部材としては、上記実施形態においては、幅広の帯状の布片を使用したが、この保護部材の形状、大きさ等は全く自由に設計することができ、例えば、帯状の長方形形状の布片でなく、スライドファスナー１２の開口始端部分の両側の歯部１２ｔ、１２ｔに沿って、横長のものとすることも出来る。即ち、図２においてスライドファスナー１２の部分１２ｓ、１２ｓをも被覆するような形状のものとすることもできる。この場合には、保護部材の適宜位置に設けられた係合部と相互に係合する係合受部を本体部の内面部及び外面部に設ける必要がある。【００１３】  また、保護部材の本体部内面側の取り付けも鋲止めでなく、縫着することもでき、或いは着脱自在に取り付けることもできる。
保護部材である布片は適宜柔軟な素材のものを使用することが好ましいが、その材質は全く自由である。
本体部の形状及び大きさ並びにその素材も自由に選択することができる。
開口部を形成するスライドファスナーは、上記実施形態のようにその上面部と左側面部に形成しているが、その右側面部にまで設けてもよいことは勿論のことである。【００１４】  把手部の長さ及び素材も全く自由に選択でき、ショルダー用として、１本の長さ調節可能な帯状のものとして形成することもできる。
その他一般のバッグに設けられているように、本体部の下面部に補強用板を埋設してもよく、また本体部下面に短い鋲のような脚部を形成することも自由である。
更に、本体部の内部を透視できるような透視部を設けたり、本体部自体をより内部を透視できる粗めのメッシュ地とすることもできる。
【考案の効果】
【００１５】  本考案の第１の愛玩動物運搬用バッグにおいては、スライドファスナーの開口始端部分の歯部を被覆する保護部材が設けられているために、ペットの首部の毛がファスナーの歯部に引っ掛かり或いは絡まったりすることを防止することが出来る。
【００１６】  本考案の第２のものは、保護部材の一端が本体部の内部に取り付けられ、他端が本体部の外面に着脱自在に係合できるため、バッグの不使用時には、かかる保護部材をバッグ内部に収納しておくことができ、ペットを運搬する際には、ファスナーを開放して保護部材の他方端を本体部の外面に係合して簡単に使用することが出来る。
【００１７】  本考案の第３のものにおいては、保護部材が幅広の帯状のものから構成されているため、上記第２の考案と同様に不使用時にはバッグ内部に収納でき、使用時には簡単にその他方端をバッグの外面に係合して、ペットの少なくとも首部の下方部分の毛がファスナーの歯部に引っ掛かったり、絡まったりすることがない。
以上、本考案は、多大な効果を有するものである。
【図面の簡単な説明】
【図１】本考案に係る一実施形態の全体斜視図であって、使用状態を図示している。
【図２】図１のＡ−Ａ断面説明図である。
【図３】本考案に係る一実施形態の全体斜視図であって、保護部材の他方端の係合を解除した状態を図示している。
【符号の説明】
１０…本体部、１２…スライドファスナー、１２ｔ…（ファスナーの）歯部、１３ａ、１３ｂ…スライダー、２０…保護部材、２１…係合部（止めホック）、２２…係合受部（止めホック受部）、２３…鋲止め部、１６…把手部、
【図１】
0003100787.tif 000003
【図２】
0003100787.tif 000004
【図３】
0003100787.tif 000005